(57)【特許請求の範囲】
【請求項１】
型枠取付部材(1)と、マグネットリング(6)と、インサート取付部材(2)を有し、
該型枠取付部材(1)はその軸線(3)方向で外周がテーパー面(4)となり、その軸線(3)上で縮径側にその端面(5)で開口する収容室(7)と該収容室(7)に続くネジ孔(8)を備え、拡径側にその端面(9)から突出する型枠(10)のネジ孔(11)に螺合するネジ部(12)を備え、
該マグネットリング(6)は該収容室(7)に収容され、
該インサート取付部材(2)は一端に該型枠取付部材(1)の該ネジ孔(8)に螺合するネジ部(13)を有し他端に該ネジ部(13)を該型枠取付部材(1)の該ネジ孔(8)に螺合した状態で該マグネットリング(6)の該端面(5)側の端部を押えると共に該型枠取付部材(1)の該端面(5)から外方へ突出するインサート(14)の嵌合部(15)を備えている
ことを特徴とするマグネット治具。
【請求項２】
型枠取付部材(1)と、マグネットリング(6)と、インサート取付部材(2)を有し、
該型枠取付部材(1)はその軸線(3)方向で外周がテーパー面(4)となり、その軸線(3)上で縮径側にその端面(5)で開口する収容室(7)と該収容室(7)に続くネジ孔(8)とを備え、拡径側に該ネジ孔(8)と偏心した位置にあってその端面(9)で開口する引抜き用ネジ棒(21)の螺合孔(22)を備え、
該マグネットリング(6)は該収容室(7)に収容され、
該インサート取付部材(2)は一端に該型枠取付部材(1)の該ネジ孔(8)に螺合するネジ部(13)を有し他端に該ネジ部(13)を該型枠取付部材(1)の該ネジ孔(8)に螺合した状態で該マグネットリング(6)の該端面(5)側の端部を押えると共に該型枠取付部材(1)の該端面(5)から外方へ突出するインサート(14)の嵌合部(15)を備えている
ことを特徴とするマグネット治具。
【請求項３】
型枠取付部材(1)と、マグネットリング(6)と、インサート取付部材(2)を有し、
該型枠取付部材(1)はその軸線(3)方向の長さ(L1)が型枠(10)の厚さ(L2)より大で外周が円柱面(4')となり、その軸線(3)上でその一端面(5')で開口する収容室(7)と該収容室(7)に続くネジ孔(8)とを備え、
該マグネットリング(6)は該収容室(7)に収容され、
該インサート取付部材(2)は一端に該型枠取付部材(1)の該ネジ孔(8)に螺合するネジ部(13)を有し他端に該ネジ部(13)を該型枠取付部材(1)の該ネジ孔(8)に螺合した状態で該マグネットリング(6)の該一端面(5')側の端部を押えると共に該型枠取付部材(1)の該一端面(5')から外方へ突出するインサート(14)の嵌合部(15)を備えており、
該型枠取付部材(1)を型枠(10)に穿った取付孔(11')に嵌合し、該一端面(5')を型枠(10)の規制面(10a)と一致させて型枠に熔接する
ことを特徴とするマグネット治具。
【請求項４】
該インサート取付部材(2)は該嵌合部(15)の該ネジ部(13)側周縁部にマグネットリング(6)の周縁部と協働するトロ止め用のＯリング(24)を受ける円錐面部(25)を備えている請求項１、２又は３に記載のマグネット治具。
【請求項５】
該型枠取付部材(1)は縮径側の端部外周にスパナー掛け(26)を備えている請求項１に記載のマグネット治具。
【請求項６】
該インサート取付部材(2)は該嵌合部(15)の該ネジ部(13)側と反対側の端部にねじ回し工具の係合溝(27)を備えている請求項２に記載のマグネット治具。
【発明の詳細な説明】
【０００１】
【発明の属する技術分野】
本発明はインサートを型枠に仮止めするためのマグネット治具に関する。
【０００２】
【従来の技術】
型枠に穿った透孔にインサートのネジ孔を合わせ、インサート側と反対側からボルトをこの透孔に挿通し、インサートに螺合して仮止めするやり方が一般的である。
【０００３】
【発明が解決しようとする課題】
ボルトを用いると、型枠が大きい場合はインサートの仮止めに型枠の両側に各一人の作業員を要し、半製品から型枠を取外す場合はボルトの一本一本をインサートからネジ外すためその作業は大変手間を要する。
本発明は型枠に対する仮止めと半製品からの離脱の容易なマグネット治具を提供することを目的とする。
【０００４】
【課題を解決するための手段】
本発明の第一の発明に係るマグネット治具は型枠取付部材と、マグネットリングと、インサート取付部材を有する。該型枠取付部材はその軸線方向で外周がテーパー面となっている。そして、該軸線上で縮径側にその端面で開口する収容室と該収容室に続くネジ孔とを備え、拡径側にその端面から突出する型枠のネジ孔に螺合するネジ部を備えている。該マグネットリングは該収容室に収容される。そして、該インサート取付部材は一端に該型枠取付部材の該ネジ孔に螺合するネジ部を有し他端に該ネジ部を該型枠取付部材の該ネジ孔に螺合した状態で該マグネットリングの該端面側の端部を押えると共に該型枠取付部材の該端面から外方へ突出するインサートの嵌合部を備えている。
【０００５】
本発明の第二の発明に係るマグネット治具は型枠取付部材と、マグネットリングと、インサート取付部材を有する。該型枠取付部材はその軸線方向で外周がテーパー面となっている。そして、該軸線上で縮径側にその端面で開口する収容室と該収容室に続くネジ孔とを備え、拡径側に該ネジ孔と偏心した位置にあってその端面で開口する引抜き用ネジ棒の螺合孔を備える。該マグネットリングは該収容室に収容される。そして、該インサート取付部材は一端に該型枠取付部材の該ネジ孔に螺合するネジ部を有し他端に該ネジ部を該型枠取付部材の該ネジ孔に螺合した状態で該マグネットリングの該端面側の端部を押えると共に該型枠取付部材の該端面から外方へ突出するインサートの嵌合部を備えている。
【０００６】
本発明の第三の発明に係るマグネット治具は型枠取付部材と、マグネットリングと、インサート取付部材を有する。該型枠取付部材はその軸線方向の長さが型枠の厚さより大で外周が円柱面となっている。そして、該軸線上でその一端面で開口する収容室と該収容室に続くネジ孔とを備える。該マグネットリングは該収容室に収容される。そして、該インサート取付部材は一端に該型枠取付部材の該ネジ孔に螺合するネジ部を有し他端に該ネジ部を該型枠取付部材の該ネジ孔に螺合した状態で該マグネットリングの該端面側の端部を押えると共に該型枠取付部材の該一端面から外方へ突出するインサートの嵌合部を備えている。該型枠取付部材を型枠に穿った取付孔に嵌合し、該一端面を型枠の規制面と一致させて型枠に熔接する。
【０００７】
前記各発明の場合、該インサート取付部材は該嵌合部の該ネジ部側周縁部にマグネットリングの周縁部と協働するトロ止め用のＯリングを受ける円錐面部を備えていてもよい。
【０００８】
また、前記第一の発明の場合、該型枠取付部材は縮径側の端部外周にスパナー掛けを備えていてもよい。
【０００９】
また、前記第二の発明の場合、該インサート取付部材は該嵌合部の該ネジ部側と反対側の端部にねじ回し工具の係合溝を備えていてもよい。
【００１０】
【発明の実施の形態】
本発明の第一の発明の場合、型枠取付部材の収容室にマグネットリングを装入する。そして、インサート取付部材のネジ部をマグネットリングの軸孔に通して型枠取付部材のネジ孔に螺合する。この状態で嵌合部はマグネットリングを収容室の底壁面との間で抑止すると共に、型枠取付部材の端面から外方に突出している。型枠取付部材のネジ部を型枠のネジ孔に螺合する。これでマグネット治具が型枠にセットされる。インサートを嵌合部に嵌合して型枠に仮止めする。インサートはこの嵌合部で位置決めされると共にその端面がマグネットに吸着されて嵌合部からの脱出を防止される。
【００１１】
型枠内にコンクリートを打設し、固化して半製品となったら型枠と半製品を相対的に互いの接着面と直角方向へ引剥す。型枠取付部材はネジ部で型枠と一体化しているのでマグネット治具はマグネット共々半製品から引剥される。そして、得られたコンクリート製品は、インサートのネジ孔が製品の表面からコンクリートのかぶり寸法だけ製品の内側に入り込んで開口している。
【００１２】
また、第二の発明の場合は、接着剤又は両面テープを型枠取付部材の大径側の端面に塗布又は接着し、型枠に対する仮止めは接着剤又は両面テープの接着力によってなされる。従って、型枠に型枠取付部材の取付孔は必要でなくなる。また、取外しの際、半製品との付着力が接着力より大きい場合は、先ず型枠を半製品から剥し、螺合孔に引抜き用ネジ棒をねじ込んで引き抜く。
【００１３】
また、第三の発明の場合、型枠取付部材はその軸線方向の長さが型枠の厚さより大で外周が円柱面となっている。該型枠取付部材を型枠に穿った取付孔に嵌合し、一端面を型枠の規制面と一致させて型枠に熔接する。インサート取付部材の嵌合部に嵌合したインサートの開口面は型枠の規制面に当接するので、製品の表面と同一面上にインサートの開口面が開口し、コンクリートのかぶりの不要な製品が得られる。
【００１４】
以上の三つの発明の場合、該インサート取付部材が該嵌合部の該ネジ部側周縁部にマグネットリングの周縁部と協働するトロ止め用のＯリングを受ける円錐面部を備えていると、コンクリート打設時にトロが収容室には入り込まないので、半製品からマグネット治具を引き抜くのが容易となる。
【００１５】
第一の発明の場合、該型枠取付部材が縮径側の端部外周にスパナー掛けを備えていると、型枠取付部材を型枠に螺着するのに都合よい。
【００１６】
第二の発明の場合、該インサート取付部材が該嵌合部の該ネジ部側と反対側の端部にねじ回し工具の係合溝を備えていると、インサート取付部材を該型枠取付部材に螺合し易い。
【００１７】
【実施例】
以下の説明で、同一符号は同一もしくは相応部分を示す。
１は型枠取付部材、２はインサート取付部材である。型枠取付部材１はその軸線３方向で外周がテーパー面４となり、その軸線３上で縮径側にその端面５で開口するマグネットリング６（図５）の収容室７とこの収容室に続くネジ孔８とを備え、拡径側にその端面９から突出する型枠１０のネジ孔１１に螺合するネジ部１２を備えている。
【００１８】
インサート取付部材２は一端に型枠取付部材１のネジ孔８に螺合するネジ部１３を有し、他端にインサート１４の嵌合部１５を備えている。
【００１９】
型枠取付部材１の収容室７にマグネットリング６を装入する。そして、インサート取付部材２のネジ部１３をマグネットリング６の軸孔１６に通して型枠取付部材１のネジ孔８に螺合する。この状態で嵌合部１５はマグネットリング６を収容室７の底壁面７ａとの間で抑止すると共に、型枠取付部材１の端面５から外方に突出している。型枠取付部材１のネジ部１２を型枠１０のネジ孔１１に螺合する。これでマグネット治具が型枠１０にセットされる。インサート１４を嵌合部１５に嵌合すれば、インサート１４がマグネットリング６に吸着され、型枠１０に仮止めされる。
【００２０】
型枠１０内にコンクリートを打設し、固化して半製品１７となったら、型枠１０と半製品１７を相対的に互いの接着面と直角方向へ引剥す。型枠取付部材１はネジ部１２で型枠１０と一体化しているので、マグネット治具はマグネットリング６共々半製品１７から引剥される。そして、インサート１４のネジ孔１８が製品の表面からコンクリートのかぶり寸法だけ内側に入り込んだ位置で開口した製品が得られる。
【００２１】
第二の発明の場合は、第一の発明に対し、型枠取付部材１の大径側の端面９から突出するネジ部１２が無く、この端面９のネジ孔８と偏心した位置に引抜き用ネジ棒２１をねじ込むための螺合孔２２が穿たれている。そのため、接着剤２３（又は両面テープでもよい。）を型枠取付部材１の端面９に塗布（又は接着）し、型枠１０に対する仮止めは接着剤２３（又は両面テープ）の接着力によってなされる。従って、型枠１０に型枠取付部材１の取付用のネジ孔１１は必要でなくなる。また、マグネット治具の取外しの際、型枠取付部材１と半製品１７の付着力の方が型枠取付部材１と型枠１０の接着力より大きい場合は、先ず型枠１０を半製品１７から剥し、型枠取付部材１の螺合孔２２に引抜き用ネジ棒２１をねじ込んで引き抜く。
【００２２】
第三の発明の場合、型枠取付部材１は外周面が円柱面４′となっており、その軸線方向の長さＬ1は型枠１０の厚さＬ2より大きくなっている。この型枠取付部材１を型枠１０の取付孔１１′に嵌合して型枠取付部材１の収容室７が開口する側の一端面５′が型枠１０の規制面１０ａと同一面上に配置され、この型枠１０にその反対面１０ｂで点熔接３１される。この場合、型枠取付部材１に同径の台座３２を固着し、また型枠１０の反対面１０ｂに取付孔１１′に合わせて当てリング３３を点熔接３１し、この台座３２をこの当てリング３３に点熔接３４するようにしてもよい。インサートは製品の表面と同一面上に開口し、コンクリートのかぶりの不要な製品が得られる。
【００２３】
以上三つの発明の場合、インサート取付部材２は嵌合部１５のネジ部１３側周縁部にマグネットリング６の周縁部と協働するトロ止め用のＯリング２４を受ける円錐面部２５を備えている。こうすると、コンクリート打設時にトロが収容室７に入り込まないので、半製品１７からマグネット治具を引き抜くのが容易となる。
【００２４】
また、第一の発明の場合、型枠取付部材１は縮径側の端部外周にスパナー掛け２６を備えている。こうすると、型枠取付部材１を型枠１０に螺着するのに都合よい。
【００２５】
また、第二の発明の場合、インサート取付部材２は嵌合部１５のネジ部１３側と反対側の端部にねじ回し工具の係合溝２７を備えている。こうすると、インサート取付部材２を型枠取付部材１に螺合し易い。
【００２６】
【発明の効果】
本発明の第一の発明によれば、型枠取付部材がネジ部で型枠のネジ孔に螺合するので、型枠の片側で仮止めでき、コンクリートの打設に際し受ける力によっても傾いたりせず確実に仮止めされ、インサートはインサート取付部材の嵌合部に嵌合するだけで位置決めされかつマグネットリングに吸着されるので安定して型枠に仮止めされ、型枠を半製品から取外す際は、一工程で半製品から型枠とマグネット治具の双方を外すことができる。
【００２７】
本発明の第二の発明によれば、型枠取付部材の大径側の端面を接着剤（又は両面テープ）で型枠に接着するので、型枠に余計な取付け孔を穿たずに済み、着脱も容易で、型枠取付部材と半製品の付着力の方が型枠取付部材と型枠の接着力より大きい場合は、先ず型枠を半製品から剥し、型枠取付部材の螺合孔に引抜き用ネジ棒をねじ込んで簡単に引き抜ける。
【００２８】
本発明の第三の発明によれば、インサートの開口面が型枠の規制面に当接するので、製品ではインサートがその表面に開口し、コンクリートのかぶりの不要な製品を得ることができ、型枠取付部材が型枠に関し熔接されるので、両者の結合が極めて強固となり、反復使用にも十分耐えられる。
【００２９】
請求項４によれば、コンクリート打設時にトロが収容室には入り込むのを防げ、半製品からマグネット治具を容易に引き抜くことができる。
請求項５によれば、型枠取付部材を型枠に螺着するのに都合よい。
請求項６によれば、インサート取付部材を該型枠取付部材に螺合し易い。
【図面の簡単な説明】
【図１】本発明に係るマグネット治具の具体例の、型枠取付部材の半分切断側面図である。
【図２】同右側面図である。
【図３】本発明に係るマグネット治具の具体例の、インサート取付部材の半分切断側面図である。
【図４】同右側面図である。
【図５】本発明に係るマグネット治具の具体例を、使用状態で示す一部切断側面図である。
【図６】本発明に係るマグネット治具の別の例の、型枠取付部材の半分切断側面図である。
【図７】同右側面図である。
【図８】本発明に係るマグネット治具の別の例を、使用状態で示す一部切断側面図である。
【図９】本発明に係るマグネット治具の更に別の例を、使用状態で示す一部切断斜面図である。
【符号の説明】
１    型枠取付部材
２    インサート取付部材
３    軸線
４    テーパー面
４′  円柱面
５    端面
５′  一端面
６    マグネットリング
７    収容室
７ａ  底壁面
８    ネジ孔
９    端面
１０  型枠
１１  ネジ孔
１１′取付孔
１２  ネジ部
１３  ネジ部
１４  インサート
１５  嵌合部
１６  軸孔
１７  半製品
１８  ネジ孔
２１  ネジ棒
２２  螺合孔
２３  接着剤
２４  Ｏリング
２５  円錐面部
２６  スパナー掛け
２７  係合溝
【図１】
0003720912.tif 000002
【図２】
0003720912.tif 000003
【図３】
0003720912.tif 000004
【図４】
0003720912.tif 000005
【図５】
0003720912.tif 000006
【図６】
0003720912.tif 000007
【図７】
0003720912.tif 000008
【図８】
0003720912.tif 000009
【図９】
0003720912.tif 000010